(57)【要約】【課題】小規模な改造で容易に発光による良好な美観を呈することができ、かつ製造コストの上昇を抑制可能な便座装置を提供する。【解決手段】便座装置１は、洋風水洗式の便器９に固定される本体１０と、本体１０に揺動可能に設けられ、下方に揺動して人が着座可能な便座２０と、本体１０又は便座２０に揺動可能に設けられ、下方に揺動して閉じた状態とされる便蓋３９とを備える。  便座２０に固定されて便器９に当接する便座用裏脚２３及び便蓋３０に固定されて便座２０に当接する便蓋用裏脚３３は、発光するように構成されている。具体的には、便座用裏脚２３は透光材料からなり、便座用裏脚２３内を照射可能な光源２４ａ、２４ｂが設けられている。【選択図】図５
2007313281.tif 000002
【特許請求の範囲】
【請求項１】
洋風水洗式の便器に固定される本体と、該本体に揺動可能に設けられ、下方に揺動して人が着座可能な便座と、該本体又は該便座に揺動可能に設けられ、下方に揺動して閉じた状態とされる便蓋とを備えた便座装置において、
前記便座に固定されて前記便器に当接する便座用裏脚及び前記便蓋に固定されて該便座に当接する便蓋用裏脚の少なくとも一方の部材は、発光するように構成されていることを特徴とする便座装置。
【請求項２】
前記部材は、透光材料からなる透光部材と、該透光部材内を照射可能な光源とを有している請求項１記載の便座装置。
【請求項３】
前記部材は、透光材料からなる透光部材と、該透光部材と一体をなし、前記便座又は前記便蓋に固定される基部と、該基部に設けられ、該透光部材内を照射可能な光源とを有している請求項１記載の便座装置。
【請求項４】
前記透光材料には蓄光材料又は蛍光材料が含まれている請求項２又は３記載の便座装置。
【請求項５】
前記部材は、前記光源における光軸の延長線上に該光源からの光を該部材の周面に案内する光反射部材を有している請求項２乃至４のいずれか１項記載の便座装置。
【請求項６】
前記光反射部材は、前記透光部材に埋設され、少なくとも一方向の垂直断面形状が前記光源側を頂点とした三角形状であり、該光源から照射された光を斜面で反射させて前記部材の周面に案内するものである請求項５記載の便座装置。
【請求項７】
前記光反射部材は、前記斜面を空洞部によって形成しているものである請求項６記載の便座装置。
【請求項８】
前記透光部材には、前記部材の周面を除いた外面に光反射層が形成されている請求項２乃至７のいずれか１項記載の便座装置。
【請求項９】
前記光反射層は前記透光部材に塗布又はめっきにより形成されている請求項８記載の便座装置。
【請求項１０】
前記部材の周面は光拡散処理されている請求項１乃至９のいずれか１項記載の便座装置。
【請求項１１】
前記光源の一部は紫外線照射用光源であり、前記便蓋が閉じた状態で該紫外線照射用光源が発光するように構成されている請求項２乃至１０のいずれか１項記載の便座装置。
【請求項１２】
前記光源は電磁誘導によって給電されるものである請求項２乃至１１のいずれか１項記載の便座装置。
【請求項１３】
前記便蓋用裏脚が有する前記光源は前記便座内の暖房用ヒータによって給電されるものである請求項１２記載の便座装置。
【発明の詳細な説明】
【技術分野】
【０００１】
本発明は便座装置に関する。
【背景技術】
【０００２】
特許文献１の図８及び図９に従来の便座装置が開示されている。この便座装置は、洋風水洗式の便器に固定される本体と、本体に揺動可能に設けられ、下方に揺動して人が着座可能な便座と、本体又は便座に揺動可能に設けられ、下方に揺動して閉じた状態とされる便蓋とを備える。
【０００３】
本体、便座又は便蓋は、内部透視構造であるスケルトン構造とされ、内部に光源としてのＬＥＤが埋設されている。
【０００４】
このような構成である従来の便座装置は、便器に固定されて便座及び便蓋としての機能を発揮することに加え、スケルトン構造とされた本体、便座又は便蓋がＬＥＤの発光により光って、良好な美観を呈する。
【０００５】
【特許文献１】特開２００１−１２０４４８号公報
【発明の開示】
【発明が解決しようとする課題】
【０００６】
しかし、上記従来の便座装置は、既存の一般的な便座装置に対して本体、便座又は便蓋をスケルトン構造としなければならないことから、製造コストが増加する傾向にある。
【０００７】
本発明は、上記従来の実情に鑑みてなされたものであって、小規模な改造で容易に発光による良好な美観を呈することができ、かつ製造コストの上昇を抑制可能な便座装置を提供することを解決すべき課題としている。
【課題を解決するための手段】
【０００８】
本発明の便座装置は、洋風水洗式の便器に固定される本体と、該本体に揺動可能に設けられ、下方に揺動して人が着座可能な便座と、該本体又は該便座に揺動可能に設けられ、下方に揺動して閉じた状態とされる便蓋とを備えた便座装置において、
前記便座に固定されて前記便器に当接する便座用裏脚及び前記便蓋に固定されて該便座に当接する便蓋用裏脚の少なくとも一方の部材は、発光するように構成されていることを特徴とする。
【０００９】
このような構成である本発明の便座装置は、便器に固定されて便座及び便蓋としての機能を発揮する。
【００１０】
そして、この便座装置は、便座用裏脚及び便便蓋用裏脚の少なくとも一方の部材が発光することにより良好な美観を呈する。この際、この便座装置は、便座用裏脚及び便蓋用裏脚の少なくとも一方の部材に小規模な改造を施すだけでよく、従来の便座装置のように、便座又は便蓋をスケルトン構造とする必要がないことから、製造コストの上昇を抑制できる。
【００１１】
したがって、本発明の便座装置は、小規模な改造で容易に発光による良好な美観を呈することができ、かつ製造コストの上昇を抑制可能である。
【００１２】
便座用裏脚及び便蓋用裏脚の少なくとも一方の部材が発光する構成としては、例えば、便座用裏脚及び便蓋用裏脚の少なくとも一方の部材に光源が露出するように配設して、光源の発する光が直接視認されるようにしてもよい。
【００１３】
光源は、少なくとも可視光を発するものであればよく、可視光とともに、赤外線又は紫外線を発するものであってもよい。また、光源は、ＬＥＤ等の小型のものが好ましく、１つに限定されない。
【００１４】
本発明の便座装置において、前記部材は、透光材料からなる透光部材と、該透光部材内を照射可能な光源とを有し得る。この場合、この便座装置は、便座用裏脚及び便蓋用裏脚の少なくとも一方の部材を全体的に光らせることができ、一層良好な美観を呈することができる。
【００１５】
本発明の便座装置において、前記部材は、透光材料からなる透光部材と、該透光部材と一体をなし、前記便座又は前記便蓋に固定される基部と、該基部に設けられ、該透光部材内を照射可能な光源とを有し得る。この場合、透光部材内を照射可能な光源を便座又は便蓋に固定される基部に設けて、外部から目立たなくするとともに、透光部材を全体的に光らせることができるので、一層良好な外観を呈することができる。
【００１６】
透光部材を構成する材料としては、ＡＢＳ樹脂、アクリル樹脂、その他の透明樹脂材料や、透明なシリコンゴム、エラストマー等の一般的なものを採用することができる。無色透明であってもよく、有色透明であってもよい。また、透光部材が透光性を有する乳白色であってもよい。そうであれば、光源からの光が拡散されて透光部材の全体が淡く光るため良好な外観を呈することができる。便座用裏脚及び便蓋用裏脚が本来の機能を良好に発揮するためには、透光部材は、硬質材料よりも軟質材料又は弾性変形可能な材料からなることが好ましい。
【００１７】
本発明の便座装置において、前記透光部材には蓄光材又は蛍光材が含まれ得る。この場合、透光部材は、光源を発光させないときでも、蓄光材又は蛍光材によって発光するので、省電力化を図りつつ、良好な外観を呈することができる。
【００１８】
本発明の便座装置において、前記部材は、前記光源における光軸の延長線上に該光源からの光を該部材の周面に案内する光反射部材を有し得る。この場合、光源から光軸の延長線上に向けて発せられた光を光反射部材により反射させて、外側に露出する部材の周面に案内することができるので、一層美観が向上する。
【００１９】
本発明の便座装置において、前記光反射部材は、前記透光部材に埋設され、少なくとも一方向の垂直断面形状が前記光源側を頂点とした三角形状であり、該光源から照射された光を斜面で反射させて前記部材の周面に案内するものであり得る。この場合、簡易な構造で部材の周面に光源から発せられた光を案内することができるので、製造が容易となり、製造コストの上昇を抑制可能である。
光反射部材の形状としては、円錐形状、多角錐形状、三角柱形状等を採用することができる。三角柱形状の光反射部材の場合には、便座用裏足又は便蓋用裏足の長手方向に沿って透光部材に埋設し、複数個の光源を三角柱形状の光反射部材の上方に配置してもよい。
【００２０】
この光反射部材としては、斜面が鏡面である金属製のものやプリズム等を採用することができる。光反射部材の全体が透光部材に埋設されていてもよく、一部分が埋設されていてもよい。
【００２１】
また、光反射部材は、斜面を空洞部によって形成しているものであり得る。この場合、光源から発せられた光は、アクリル樹脂等の透明材料により形成された光反射部材内を通過し、空洞部の斜面で部材の周面に向けて反射する。このため、空洞部の斜面の角度を調整するのみで光を全反射させることが可能となり、反射面の表面処理をする必要が無いため、製造が容易となり、製造コストの上昇を抑制可能である。また、光源から発せられた光の全てを周面に反射させることになるため、部材の周面が一層明るく光り、良好な外観を呈することができる。さらに、透光部材の周面を良好に光らせつつ、厚みを増してクッション性を向上させることが可能である。
【００２２】
本発明の便座装置において、前記透光部材には、前記部材の周面を除いた外面に光反射層が形成され得る。この場合、光源から発せられた光の一部が部材の周面を除いた外面に形成された光反射層によって反射されるので、より効果的に周面全体を光らせることができる。
【００２３】
本発明の便座装置において、前記光反射層は前記透光部材に塗布又はめっきにより形成され得る。この場合、光反射層を透光部材に容易に形成することができる。
【００２４】
本発明の便座装置において、前記部材の周面は光拡散処理され得る。この場合、光源から発せられた光の一部が部材の周面で拡散されるので、優れた美観を呈することができる。
【００２５】
本発明の便座装置において、前記光源の一部は紫外線照射用光源であり、前記便蓋が閉じた状態で該紫外線照射用光源が発光するように構成され得る。この場合、紫外線照射用光源から紫外線が便器や床面等に向けて照射されることにより、便器や床面等の表面で殺菌作用を生じさせることができるので、便器や床面等を清潔な状態に維持し易くなる。
【００２６】
光源への給電の方法は、どのようなものでもよく、例えば、本体から配線を介して給電してもよい。
【００２７】
本発明の便座装置において、前記光源は電磁誘導によって給電されるものであり得る。この場合、本体から光源まで配線を直接引き回す必要がなくなるので、便座又は便蓋の開閉機構を簡易なものとすることができる。
【００２８】
光源が電磁誘導によって給電されるものである場合において、前記便蓋用裏脚が有する前記光源は前記便座内の暖房用ヒータによって給電されるものであり得る。この場合、暖房用ヒータを光源への給電用配線としても兼用することができるので、装置の簡略化が可能となる。
【発明を実施するための最良の形態】
【００２９】
以下、本発明を具体化した実施例１〜４を図面を参照しつつ説明する。
【実施例１】
【００３０】
図１〜図４に示すように、実施例１の便座装置１は、洋風水洗式の便器９に固定される本体１０と、本体１０に揺動可能に設けられ、下方に揺動して人が着座可能な便座２０と、本体１０又は便座２０に揺動可能に設けられ、下方に揺動して閉じた状態とされる便蓋３０とを備える。
【００３１】
より詳しくは、本体１０は、便器９の後方に設置される水洗タンク（図示しない）を覆うタンクカバー１１とタンクカバー１１の前面下方に設けられた便座便蓋軸支部１２とを有する。
【００３２】
便座２０は、中央に開口２１を有し、後方に一対の便座支持部２２を有している。便座支持部２２は、便座便蓋軸支部１２の両側面に向けて突出するように形成され、便座便蓋軸支部１２に揺動可能に軸支されている。図３に示すように、便座２０の裏面側には、開口２１を囲むように、４個の便座用裏脚２３が固定されている。
【００３３】
便蓋３０は、閉じた状態で便座２０の全体を上方から覆う形状とされ、後方に一対の便蓋支持部３２を有している。便蓋支持部３２も、便座支持部２２と同様に便座便蓋軸支部１２の両側面に向けて突出するように形成され、便座便蓋支持部１２に揺動可能に軸支されている。図２に示すように、便蓋３０の裏面側には、２個の便蓋用裏脚３３が固定されている。
【００３４】
便座用裏脚２３は、図５に示すように、透光材料である透明シリコンゴムからなる略直方体であり、便座２０が下方に揺動した状態で便器９の上縁に当接するように便座２０に固定されている。便座用裏脚２３の上面側には、ＬＥＤからなる光源２４ａ、２４ｂが先端側の発光部分を便座用裏脚２３内に位置させ、光軸を垂直下方に向けるようにして設けられている。光源２４ａ、２４ｂのうち、中央側の光源２４ａは、紫外線を照射可能なＵＶ−ＬＥＤである。光源２４ａ、２４ｂは、光源用配線（図示しない）によって本体１０に内蔵された電源回路（図示しない）と電気的に接続されている。このため、光源２４ａ、２４ｂは、本体１０の電源回路から給電されることにより発光して便座用裏脚２３内を照射可能とされている。なお、光源用配線は、便座２０の揺動を妨げないように、便座便蓋軸支部１２及び便座支持部２２の内部を経由して配設されている。また、光源用配線は、便座２０の内部に配設される暖房用ヒータ２９の一部と兼用されている。
【００３５】
便蓋用裏脚３３は、不透光材料であるウレタンゴムからなる略直方体であり、便蓋３０が下方に揺動した状態で便座２０の上縁に当接するように便蓋３０に固定されている。便蓋用裏脚３３の中央側に向く側面には、ＬＥＤからなる光源３４ａが先端側の発光部分を便蓋用裏脚３３外に露出させ、光軸を中央側に向けるようにして設けられている。また、便蓋用裏脚３３の外周側に向く側面には、ＬＥＤからなる光源３４ｂが先端側の発光部分を便蓋用裏脚３３外に露出させ、光軸を外周側に向けるようにして設けられている。光源３４ａ、３４ｂは、便座２０内に設けられた１次コイル１６ａ及び便蓋用裏脚３３内に埋設された２次コイル１６ｂによって本体１０に内蔵された電源回路（図示しない）から電磁誘導により非接触給電可能とされている。このため、便蓋３０及び便座２０を共に閉じて、又は共に開いて、便蓋３０を便座２０に重ねた状態とした場合に、光源３４ａ、３４ｂは、本体１０の電源回路から非接触給電されることにより発光して便蓋用裏脚３３の周囲に直接光を照射可能とされている。なお、１次コイル１６ａは、便座２０の内部に配設される暖房用ヒータ２９の一部と兼用されている。
【００３６】
便蓋３０の中央側裏面には、反射層３０ａが形成されており、光源３４ａが中央側に向けて発する光を反射可能とされている。
【００３７】
このような構成である実施例１の便座装置１は、便器９に固定されて便座２０及び便蓋３０としての機能を発揮する。
【００３８】
そして、この便座装置１は、便座２０及び／又は便蓋３０が開いた状態又は閉じた状態において、便座用裏脚２３及び便蓋用裏脚３３が同時に、又は別々に発光することにより良好な美観を呈する。この際、この便座装置１は、便座用裏脚２３及び便蓋用裏脚３３を図５に示す構成のものに付け替える等の小規模な改造を施すだけでよく、従来の便座装置のように、便座又は便蓋をスケルトン構造とする必要がなくなっていることから、製造コストの上昇を抑制できている。
【００３９】
したがって、実施例１の便座装置１は、小規模な改造で容易に発光による良好な美観を呈することができており、かつ製造コストの上昇を抑制可能である。
【００４０】
また、この便座装置１において、便座用裏脚２３は透光材料からなり、便座用裏脚２３内を照射可能な光源２４ａ、２４ｂが設けられていることから、便座用裏脚２３を全体的に光らせることができ、一層良好な美観を呈することができている。
【００４１】
さらに、この便座装置１において、光源２４ａは紫外線を照射可能なＵＶ−ＬＥＤであり、便蓋３０が閉じた状態でも、紫外線を照射するように構成されている。このため、光源２４ａから便器や床面等に向けて照射される紫外線によって、便器９や床面等の表面で殺菌作用を生じさせることができるので、便器９や床面等を清潔な状態に維持し易くなっている。なお、便器９の表面や床面等に光触媒を塗布することにより紫外線による殺菌作用をより効果的に生じさせることができる。
【００４２】
また、この便座装置１において、便蓋用裏脚３３が有する光源３４ａ、３４ｂは、一次コイル１６ａ及び二次コイル１６ｂにより電磁誘導によって給電されるものである。このため、この便座装置１は、本体１０から光源３４ａ、３４ｂまで配線を直接引き回す必要がなくなっているので、便蓋３０の開閉機構を簡易なものとすることができている。
【００４３】
さらに、この便座装置１において、一次コイル１６ａは便座２０内の暖房用ヒータ２９の一部と兼用されており、光源３４ａ、３４ｂは暖房用ヒータ２９によって給電されるものであることから、装置の簡略化が可能となっている。
【００４４】
なお、実施例１の便座装置１において、便座用裏脚２３及び／又は便蓋用裏脚３３に蓄光材又は蛍光材が含まれていてもよい。この場合には、便座用裏脚２３及び／又は便蓋用裏脚３３は、光源２４ａ、２４ｂ、３４ａ、３４ｂを発光させないときでも、蓄光材又は蛍光材によって発光するので、省電力化を図りつつ、良好な外観を呈することができる。
【実施例２】
【００４５】
実施例２の便座装置２は、実施例１の便座装置１における便座用裏脚２３の代わりに、図６に示す便座用裏脚２２３を採用している。その他の構成は、実施例１の便座装置１と同様であるので、説明は省く。
【００４６】
便座用裏脚２２３は、便座２０に固定される基部２２６をもち、透光材料である透明シリコンゴムからなる透光部材２２５と、基部２２６に設けられ、透光部材２２５内を照射可能なＬＥＤからなる光源２２４とを有している。
【００４７】
透光部材２２５は、基部２２６を除く部分である露出部２２７をもち、基部２２６の背面２２６ａ及び側面２２６ｂ並びに露出部２２７の背面２２７ａには光反射層２２８ａが塗布又はめっきにより形成されている。また、露出部２２７の当接面２２７ｂ（便器９の上面に当接する面）にも光反射層２２８ｂが塗布又はめっきにより形成されている。さらに、露出部２２７の周面２２７ｃは微細な凹凸が形成されることにより、光拡散処理されている。
【００４８】
光源２２４は、露出部２２７の内部に埋設される感圧スイッチ２４０を有している。感圧スイッチ２４０は、ＯＮ状態となるための負荷が適当に設定される。そして、感圧スイッチ２４０は、例えば、便座２０を閉じて、便座２０の自重が便座用裏脚２２３に負荷されることによりＯＮ状態となって、光源２２４を発光させたり、便座２０に人が着座することによりＯＮ状態となって、光源２２４を発光させたりすることが可能となっている。また、感圧スイッチ２４０は、ＯＦＦ状態のときに光源２２４を発光させてもよい。さらに、感圧スイッチ２４０は、光源２２４が複数個である場合に、その一部を発光させるように制御して、省エネ化を図ってもよい。なお、光源２２４は、所望の方向に向けて効果的に光を照射可能なように、特定の方向に傾斜した状態とされている。また、必要に応じて、基部２２６に複数個の光源２２４を設けてもよい。
【００４９】
このような構成である実施例２の便座装置２も、実施例１の便座装置１と同様の作用効果を奏することができている。
【００５０】
また、この便座装置２において、便座用裏脚２２３は、便座２０に固定される基部２２６をもち、透光材料からなる透光部材２２５と、基部２２６に設けられ、透光部材２２５内を照射可能な光源２２４とを有している。このため、この便座装置２は、光源２２４を便座２０に固定される基部２２６に設けて、外部から目立たなくするとともに、透光部材２２５を全体的に光らせることができているので、一層良好な外観を呈することができている。
【００５１】
さらに、この便座装置２において、透光部材２２５は基部２２６を除く部分である露出部２２７をもち、基部２２６の背面２２６ａ及び側面２２６ｂ並びに露出部２２７の背面２２７ａには光反射層２２８ａが形成されている。このため、光源２２４から発せられた光の一部が光反射層２２８ａによって反射されるので、より効果的に露出部２２７全体を光らせることができている。
【００５２】
また、この便座装置２において、露出部２２７の当接面２２７ｂにも光反射層２２８ｂが形成されている。このため、光源２２４から発せられた光の一部が光反射層２２８ｂによっても反射されるので、より効果的に露出部２２７の周面２２７ｃを光らせることができている。
【００５３】
さらに、この便座装置２において、露出部２２７の周面２２７ｃは微小な凹凸が形成されることにより光拡散処理されている。このため、光源２２４から発せられた光の一部が露出部２２７の周面２２７ｃで拡散されるので、優れた美観を呈することができている。
【００５４】
また、この便座装置２において、光反射層２２８ａ、２２８ｂは透光部材２２５に塗布又はめっきにより形成されているので、光反射層２２８ａ、２２８ｂを透光部材２２５に容易に形成することができている。
【実施例３】
【００５５】
実施例３の便座装置３は、実施例２の便座装置２における光源２２４の代わりに、図７に示す光源３２４を採用し、さらに光反射部材３５０を採用している。その他の構成は、実施例２の便座装置２と同様であるので、説明は省く。
【００５６】
便座用裏脚２２３は、光軸を垂直下方に向けるようにして、基部２２６に設けられ、透光部材２２５内を照射可能なＬＥＤからなる光源３２４を有している。また、便座用裏脚２２３は、光源３２４における光軸の延長線上に位置するように透光部材２２５に埋設された円錐形状の光反射部材３５０を有している。光反射部材３５０は、光源３２４から垂直下方に照射された光を円錐の斜面で反射させて露出部２２７の周面２２７ｃに案内することが可能とされている。また、光反射部材３５０は、円錐形状のものに限らず、光源３２４側を頂点に透光部材２５に埋設された多角錐形状のもの、三角柱形状のものでもよい。三角柱形状の光反射部材の場合には、便座用裏足２２３の長手方向に沿って透光部材２５に埋設し、複数個の光源３２４を三角柱形状の光反射部材の上方に配置してもよい。
【００５７】
このような構成である実施例３の便座装置３も、実施例１、２の便座装置１、２と同様の作用効果を奏することができている。
【００５８】
また、この便座装置３において、便座用裏脚２２３が光反射部材３５０を有していることから、光源３２４から光軸の延長線上に向けて発せられた光を光反射部材３５０により反射させて、露出部２２７の周面２２７ｃに案内することができているので、一層美観が向上している。
【実施例４】
【００５９】
実施例４の便座装置４は、図８に示す光反射部材４５０を有する便座用裏足４２３を採用している。
【００６０】
便座用裏足４２３は、便座２０に固定される一対の突出部４２６、４２６をもち、透光材料である透明シリコンゴムからなる透光部材４２５と、透光部材４２５に埋設された光反射部材４５０と、光反射部材４５０に設けられ、透光部材４２５内を照射可能なＬＥＤからなる光源４２４とを有している。
【００６１】
透光部材４２５は、突出部４２６、４２６を除く部分である露出部４２７をもち、露出部４２７の周面４２７ｃは微小な凹凸が形成されることにより光拡散処理されている。突出部４２６、４２６は、円柱状であり、先端側には、便座２０に挿入されて便座２０に係合するための係合凸部４６０が形成されている。
【００６２】
光反射部材４５０は、透明なアクリルからなる円柱の下方先端部を円錐形状の空洞部４５０ａにし、上方後端部に光源４２４であるＬＥＤを挿入し固定するための円筒部４５０ｂを有する。円錐形状の傾斜面は、光源４２４からの光が露出部４２７の周面４２７ｃに向けて全反射される角度に設計されている。光源４２４は光反射部材４５０の円筒部４５０ｂに挿入され、円筒部４５０ｂの上方後端部をシリコンでコーキングして固定されているため、光源４２４からの光は設計通りに傾斜面で入反射されて露出部４２７の周面４２７ｃに案内される。また、図示しないが、露出部４２７の背面２４７ａや当接面４２７ｂに光反射層を形成してもよい。
【００６３】
このような構成である実施例４の便座装置４も、実施例１〜３の便座装置１〜３と同様の作用効果を奏することができている。
【００６４】
また、この便座装置４は、光源４２４からの光を容易に全反射させて便座用裏足４２３の周面４２７に案内することができるので、一層明るく光り、良好な外観を呈する事ができる。さらに、この便座用裏足４２３は、露出部４２７の周面４２７ｃを良好に光らせつつ、厚みを増してクッション性を向上させることが可能である。
【実施例５】
【００６５】
実施例５の便座装置５は、実施例１の便座装置１における便座用裏脚２３の代わりに、図９に示す便座用裏脚５２３を採用している。その他の構成は、実施例１の便座装置１と同様であるので、説明は省く。
【００６６】
便座用裏脚５２３は、便座２０に固定される基部５２６をもち、透光材料である透明シリコンゴムからなる透光部材５２５と、基部５２６に設けられ、透光部材５２５内を照射可能なＬＥＤからなる光源５２４ａ、５２４ｂとを有している。
【００６７】
基部５２６は、便座２０に挿入される一対の突出部５２６ｅ、５２６ｆからなる。突出部５２６ｅ、５２６ｆは円柱状であり、先端側には、便座２０に挿入されて便座２０に係合するための係合凸部５６０が形成されている。各突出部５２６ｅ、５２６ｆ内には、光源５２４ａ、５２４ｂが夫々埋設されている。なお、光源５２４ａ、５２４ｂは、所望の方向に向けて効果的に光を照射可能なように、特定の方向に傾斜した状態とされている。
【００６８】
透光部材５２５は基部５２６を除く部分である露出部５２７をもち、基部５２６の周面５２６ｂ並びに露出部５２７の背面５２７ａには光反射層５２８が塗布又はめっきにより形成されている。
【００６９】
このような構成である実施例５の便座装置５も、実施例１の便座装置１と同様の作用効果を奏することができている。
【００７０】
また、この便座装置５において、基部５２６は便座２０に挿入される突出部５２６ｅ、５２６ｆからなり、突出部５２６ｅ、５２６ｆ内に光源５２４ａ、５２４ｂが埋設されている。このため、光源５２４ａ、５２４ｂを外部から視認し難くすることができている。それとともに、便座用裏脚５２３を嵩張らないようにすることもできている。このため、この便座装置５は、便座用裏脚５２３の本来の機能を損ねることなく、良好な外観を呈することができている。
【００７１】
以上において、本発明を実施例１〜５に即して説明したが、本発明は上記実施例１〜５に制限されるものではなく、その趣旨を逸脱しない範囲で適宜変更して適用できることはいうまでもない。
【００７２】
例えば、実施例２の便座装置２において、便座用裏脚２２３の向きを図３に示す向きから、図１０に示すように、開口２１を囲む円周２１ａに沿う向きに変更してもよい。この場合、図６に示す光源２３４も、円周２１ａに沿う向きに傾斜させて、照射範囲に変化を生じさせることができる。
【産業上の利用可能性】
【００７３】
本発明は便座装置に利用可能である。
【図面の簡単な説明】
【００７４】
【図１】実施例１の便座装置の斜視図である（便座及び便蓋が閉じた状態）。
【図２】実施例１の便座装置の斜視図である（便蓋が開いた状態）。
【図３】実施例１の便座装置の斜視図である（便座及び便蓋が開いた状態）。
【図４】実施例１の便座装置の側面図である（便座及び便蓋が閉じた状態）。
【図５】実施例１の便座装置に係り、図４のＶ−Ｖ断面を示す要部拡大断面図である。
【図６】実施例２の便座装置に係り、図４のＶ−Ｖ断面を示す要部拡大断面図である。
【図７】実施例３の便座装置に係り、図４のＶ−Ｖ断面を示す要部拡大断面図である。
【図８】実施例４の便座装置に係り、図４のＶ−Ｖ断面を示す要部拡大断面図である。
【図９】実施例５の便座装置に係り、図４のＶ−Ｖ断面を示す要部拡大断面図である。
【図１０】実施例２の便座装置の変形例を示す斜視図である（便蓋が開いた状態）。
【符号の説明】
【００７５】
１、２、３、４、５…便座装置
９…便器
１０…本体
２０…便座
３０…便蓋
２３、２２３、４２３、５２３…便座用裏脚
３３…便蓋用裏脚
２４ａ、２４ｂ、３４ａ、３４ｂ、２２４、３２４、４２４、５２４ａ、５２４ｂ…光源（２４ａ…紫外線照射用光源）
２２５、４２５、５２５…透光部材
２２６、４２６…基部
５２６ｅ、５２６ｆ…突出部
２２７、４２７、５２７…露出部
２２６ａ…基部の背面
２２６ｂ、５２６ｂ…基部の側面
２２７ａ、４２７ａ、５２７ａ…露出部の背面
２２７ｂ、４２７ｂ…露出部の当接面
２２７ｃ、４２７ｃ…露出部の周面
２２８ａ、２２８ｂ、５２８…光反射層
３５０、４５０…光反射部材
１６ａ…１次コイル
１６ｂ…２次コイル
２９…暖房用ヒータ
【図１】
2007313281.tif 000003
【図２】
2007313281.tif 000004
【図３】
2007313281.tif 000005
【図４】
2007313281.tif 000006
【図５】
2007313281.tif 000007
【図６】
2007313281.tif 000008
【図７】
2007313281.tif 000009
【図８】
2007313281.tif 000010
【図９】
2007313281.tif 000011
【図１０】
2007313281.tif 000012